(57)【要約】【課題】小型化すると共に内部構成を簡素化し、利便性を向上する。【解決手段】現金処理装置１は、入金紙幣が投入される紙幣入金部２２と、出金紙幣が集積される紙幣出金部２４と、入金紙幣又は出金紙幣を鑑別する紙幣鑑別部２６と、紙幣を収納する複数の紙幣収納庫２８と、リジェクト紙幣を収納するリジェクト庫３０と、補充処理においては紙幣収納庫２８に集積させる紙幣を収納し、回収処理においては紙幣収納庫２８から搬送された紙幣を収納すると共に、入金処理においては入金紙幣を一時的に保留する補充回収庫３２と、紙幣入金部２２、紙幣出金部２４、紙幣鑑別部２６、紙幣収納庫２８、リジェクト庫３０及び補充回収庫３２を接続する搬送路４１とを設ける。【選択図】図３
2017033087.tif 000002
【特許請求の範囲】
【請求項１】
入金紙幣が投入される入金部と、
出金紙幣が集積される出金部と、
入金紙幣又は出金紙幣を鑑別する鑑別部と、
紙幣を収納する複数の紙幣収納庫と、
リジェクト紙幣を収納するリジェクト庫と、
補充処理においては前記紙幣収納庫に集積させる紙幣を収納し、回収処理においては前記紙幣収納庫から搬送された紙幣を収納すると共に、入金処理においては前記入金紙幣を一時的に保留する兼用収納庫と、
前記入金部、前記出金部、前記鑑別部、前記紙幣収納庫、前記リジェクト庫及び前記兼用収納庫を接続する搬送路と
を有する紙幣処理装置。
【請求項２】
前記入金部及び前記出金部は、前記鑑別部よりも前方に配され、
前記兼用収納庫は、前記入金部及び前記出金部の下方に配置され、
前記リジェクト庫は、前記兼用収納庫と前記紙幣収納庫との間に配置される
請求項１に記載の紙幣処理装置。
【請求項３】
前記搬送路は、入金搬送路、鑑別搬送路、出金搬送路及び接続搬送路を有し、
前記入金搬送路は、前記入金部と接続され前記鑑別部よりも後方へ延伸して設けられ、
前記鑑別搬送路は、前記入金搬送路と接続され、該入金搬送路との接続位置から前方へ延び前記鑑別部を後方から前方へ向かって通過し、
前記出金搬送路は、前記鑑別搬送路に前記鑑別部よりも前側で接続され、且つ前記出金部と接続され、
前記接続搬送路は、前記鑑別搬送路に前記鑑別部よりも前側で接続され、且つ前記兼用収納庫と接続され、
前記鑑別搬送路と前記出金搬送路と前記接続搬送路との分岐に設けられ、前記鑑別部を通過した紙幣を前記出金搬送路又は前記接続搬送路の何れかの方向へ振り分ける切替部
をさらに有する請求項１又は請求項２に記載の紙幣処理装置。
【請求項４】
前記接続搬送路及び前記鑑別搬送路は、前記兼用収納庫と前記鑑別部との間で、前記鑑別部から前記兼用収納庫に向かって、且つ前記兼用収納庫から前記鑑別部に向かって、双方向に前記紙幣を搬送させる
請求項３に記載の紙幣処理装置。
【請求項５】
前記接続搬送路及び前記出金搬送路は、前記兼用収納庫から前記出金部に向かって前記紙幣を搬送させる
請求項３に記載の紙幣処理装置。
【請求項６】
前記鑑別搬送路における前記鑑別部よりも後側から前記鑑別搬送路及び前記入金搬送路に対し前記紙幣収納庫の方向に向かって分岐する収納搬送路
をさらに有する請求項３に記載の紙幣処理装置。
【請求項７】
前記接続搬送路から前記リジェクト庫の方向に向かって分岐するリジェクト庫搬送路
をさらに有する請求項６に記載の紙幣処理装置。
【請求項８】
前記収納搬送路と接続され前記リジェクト庫に向かって前記リジェクト庫搬送路に合流する収納庫搬送路
をさらに有する請求項７に記載の紙幣処理装置。
【請求項９】
前記兼用収納庫に前記入金紙幣を一時的に保留する場合、入金処理開始時に前記兼用収納庫内の紙幣を空にするよう制御する制御部
をさらに有する請求項１に記載の紙幣処理装置。
【請求項１０】
複数の前記紙幣収納庫のうち１つは、複数種類の金種を混在させて収納する混在金種収納庫であり、
前記制御部は、前記紙幣収納庫のうち単一種類の金種を収納する単一金種収納庫が満杯の場合、前記兼用収納庫に収納された前記単一金種収納庫に収納すべき紙幣を前記混在金種収納庫へ保留させる
請求項９に記載の紙幣処理装置。
【請求項１１】
前記兼用収納庫は、前記紙幣処理装置の前側に配され、
前記リジェクト庫は、前記兼用収納庫の後方に配され、
前記兼用収納庫及び前記リジェクト庫は何れも前記紙幣処理装置における前面から着脱可能である
請求項１に記載の紙幣処理装置。
【請求項１２】
前記紙幣収納庫から繰り出された紙幣を前記鑑別部で鑑別し、鑑別した結果に基づいて、前記紙幣が正常な一面側紙幣である場合は前記出金部へ搬送し、異常な紙幣である場合は前記リジェクト庫へ搬送し、正常な他面側紙幣である場合は前記兼用収納庫へ搬送した後に前記出金部へ搬送する
請求項１に記載の紙幣処理装置。
【請求項１３】
入金紙幣が投入される入金部と、
前記入金部と接続され、該入金部の紙幣を搬送する入金搬送路と、
前記入金搬送路と接続される主搬送路と、
前記主搬送路に配置され、前記入金部側へ向かって搬送される前記入金紙幣又は出金紙幣を鑑別する鑑別部と、
前記主搬送路に接続され、紙幣を収納する複数の紙幣収納庫と、
回収搬送路を介して前記主搬送路に接続され、前記紙幣収納庫から回収すべき紙幣を収納する回収庫と、
出金搬送路を介して前記主搬送路と接続され、前記出金紙幣が集積される出金部と、
前記主搬送路に設けられ、前記鑑別部を通過した紙幣を前記出金搬送路又は前記回収搬送路の何れかの方向へ振り分ける切替部と
を有する紙幣処理装置。
【請求項１４】
入金紙幣が投入される入金部と、
前記入金部と接続され、該入金部の紙幣を搬送する入金搬送路と、
前記入金搬送路と接続される主搬送路と、
出金搬送路を介して前記主搬送路と接続され、出金紙幣が集積される出金部と、
前記主搬送路に配置され、入金紙幣又は出金紙幣を鑑別する鑑別部と、
収納庫搬送路を介して前記主搬送路と接続され、紙幣を収納する複数の紙幣収納庫と、
接続搬送路を介して前記主搬送路と接続され、補充処理においては前記紙幣収納庫に集積させる紙幣を収納し、回収処理においては前記紙幣収納庫から搬送された紙幣を収納すると共に、入金処理においては前記入金紙幣を一時的に保留する兼用収納庫と、
前記主搬送路と前記出金搬送路と前記接続搬送路との分岐に設けられ、前記鑑別部を通過した紙幣を前記出金搬送路又は前記接続搬送路の何れかの方向へ振り分ける切替部と
を有する紙幣処理装置。
【発明の詳細な説明】
【技術分野】
【０００１】
本発明は紙幣処理装置に関し、例えば紙幣のような紙葉状の媒体を投入して所望の取引を行う現金処理装置等に適用して好適なものである。
【背景技術】
【０００２】
従来、金融機関や店舗等で使用される現金処理装置等においては、顧客との取引内容に応じて、例えば利用者に紙幣や硬貨等の現金を入金させ、また利用者へ現金を出金する。現金処理装置としては、利用者に紙幣を投入させる紙幣入金口と、該紙幣入金口からスタッカの受入口に接続され紙幣を搬送する入金紙幣搬送路と、入金紙幣搬送路に配され、投入された紙幣の金種及び真偽を鑑別すると共に紙幣の記番号を識別する鑑別部と、利用者に紙幣を受け渡す紙幣出金口と、スタッカの繰出口から紙幣出金口に接続され紙幣を搬送する出金紙幣搬送路と、金種毎に紙幣を格納するスタッカと、スタッカから回収した紙幣を収納する紙幣回収庫と、紙幣出金口と紙幣回収庫との間に配され、リジェクト紙幣を収納する紙幣リジェクト庫とを有するものがある（例えば、特許文献１参照）。
【先行技術文献】
【特許文献】
【０００３】
【特許文献１】特開２００５−２０２４９１号公報
【発明の概要】
【発明が解決しようとする課題】
【０００４】
この現金処理装置は、入金時においてスタッカを一時貯留部として用いる場合、使用可能なスタッカを１つ減らすことになるため、取扱可能な金種や枚数が減ってしまう。またこの現金処理装置は、入金時においてはスタッカ上部の受入口からスタッカへ紙幣を収納する一方、出金時においてはスタッカ下部の繰出口から紙幣を繰り出すため、入金用と出金用とで個別に搬送路が必要となり、装置が大型化すると共に搬送路が複雑化してしまう。またこの現金処理装置は、出金時や回収時に紙幣が鑑別部を通過しないため、紙幣を計数するためのセンサがスタッカ毎に別途必要になり、構成が煩雑になってしまう。さらにこの現金処理装置は、補充時においては紙幣入金口から補充紙幣を投入させるが、紙幣入金口には多数の紙幣を一度にセットできないため、補充処理を完了するまで何回も紙幣を行員がセットしなければならない場合があり、煩雑な作業を行員に強いることとなる。また、紙幣回収庫に補充紙幣をセットし、該紙幣回収庫から紙幣を補充する方式も存在するが、この現金処理装置の搬送路のレイアウトではその方式を実現できない。さらにこの現金処理装置は、リジェクト庫を紙幣回収庫と紙幣出金口との間に配置しているため、装置の上下方向が高くなってしまう。
【０００５】
本発明は以上の点を考慮してなされたもので、小型化すると共に内部構成を簡素化し、利便性を向上し得る紙幣処理装置を提案しようとするものである。
【課題を解決するための手段】
【０００６】
かかる課題を解決するため本発明の紙幣処理装置においては、入金紙幣が投入される入金部と、出金紙幣が集積される出金部と、入金紙幣又は出金紙幣を鑑別する鑑別部と、紙幣を収納する複数の紙幣収納庫と、リジェクト紙幣を収納するリジェクト庫と、補充処理においては紙幣収納庫に集積させる紙幣を収納し、回収処理においては紙幣収納庫から搬送された紙幣を収納すると共に、入金処理においては入金紙幣を一時的に保留する兼用収納庫と、入金部、出金部、鑑別部、紙幣収納庫、リジェクト庫及び兼用収納庫を接続する搬送路とを設けるようにした。
【０００７】
また本発明の紙幣処理装置においては、入金部と接続され、該入金部の紙幣を搬送する入金搬送路と、入金搬送路と接続される主搬送路と、主搬送路に配置され、入金部側へ向かって搬送される入金紙幣又は出金紙幣を鑑別する鑑別部と、主搬送路に接続され、紙幣を収納する複数の紙幣収納庫と、回収搬送路を介して主搬送路に接続され、紙幣収納庫から回収すべき紙幣を収納する回収庫と、出金搬送路を介して主搬送路と接続され、出金紙幣が集積される出金部と、主搬送路に設けられ、鑑別部を通過した紙幣を出金搬送路又は回収搬送路の何れかの方向へ振り分ける切替部とを設けるようにした。
【０００８】
さらに本発明の紙幣処理装置においては、入金紙幣が投入される入金部と、入金部と接続され、該入金部の紙幣を搬送する入金搬送路と、入金搬送路と接続される主搬送路と、出金搬送路を介して主搬送路と接続され、出金紙幣が集積される出金部と、主搬送路に配置され、入金紙幣又は出金紙幣を鑑別する鑑別部と、収納庫搬送路を介して主搬送路と接続され、紙幣を収納する複数の紙幣収納庫と、兼用搬送路を介して主搬送路と接続され、補充処理においては紙幣収納庫に集積させる紙幣を収納し、回収処理においては紙幣収納庫から搬送された紙幣を収納すると共に、入金処理においては入金紙幣を一時的に保留する兼用収納庫と、主搬送路と出金搬送路と接続搬送路との分岐に設けられ、鑑別部を通過した紙幣を出金搬送路又は接続搬送路の何れかの方向へ振り分ける切替部とを設けるようにした。
【発明の効果】
【０００９】
本発明によれば、簡易な構成にできる。かくして本発明は、小型化すると共に内部構成を簡素化し、利便性を向上し得る紙幣処理装置を実現できる。
【図面の簡単な説明】
【００１０】
【図１】現金処理装置の構成を示す斜視図である。
【図２】第１の実施の形態による紙幣ユニットの構成を示す右側面図である。
【図３】第１の実施の形態による入金計数処理における紙幣の経路を示す右側面図である。
【図４】第１の実施の形態による入金収納処理における紙幣の経路を示す右側面図である。
【図５】第１の実施の形態による入金返却処理における紙幣の経路を示す右側面図である。
【図６】第１の実施の形態による出金処理における紙幣の経路を示す右側面図である。
【図７】第１の実施の形態による表裏反転出金処理における紙幣の経路を示す右側面図である。
【図８】第１の実施の形態による回収処理における紙幣の経路を示す右側面図である。
【図９】第１の実施の形態による補充処理における紙幣の経路を示す右側面図である。
【図１０】第２の実施の形態による紙幣ユニットの構成を示す右側面図である。
【図１１】第２の実施の形態による入金計数処理における紙幣の経路を示す右側面図である。
【図１２】第２の実施の形態による入金収納処理における紙幣の経路を示す右側面図である。
【図１３】第２の実施の形態による補充処理における紙幣の経路を示す右側面図である。
【図１４】第２の実施の形態による振分処理における紙幣の経路を示す右側面図である。
【図１５】第２の実施の形態による振分処理における紙幣の経路を示す右側面図である。
【図１６】第３の実施の形態による紙幣ユニットの構成を示す右側面図である。
【図１７】第３の実施の形態による入金計数処理における紙幣の経路を示す右側面図である。
【図１８】第３の実施の形態による入金収納処理における紙幣の経路を示す右側面図である。
【図１９】第３の実施の形態による入金返却処理における紙幣の経路を示す右側面図である。
【図２０】第３の実施の形態による出金処理における紙幣の経路を示す右側面図である。
【図２１】第３の実施の形態による表裏反転出金処理における紙幣の経路を示す右側面図である。
【図２２】第３の実施の形態による回収処理における紙幣の経路を示す右側面図である。
【図２３】第３の実施の形態による補充処理における紙幣の経路を示す右側面図である。
【発明を実施するための形態】
【００１１】
以下、発明を実施するための形態（以下実施の形態とする）について、図面を用いて説明する。
【００１２】
［１．第１の実施の形態］
［１−１．現金処理装置の全体構成］
図１に示すように、現金処理装置１は金融機関の行員（例えば受付窓口員）が操作する行員操作型端末、いわゆるテラーキャッシャーであり、行員の操作に基づいて紙幣の入出金処理を行う。この現金処理装置１は、箱型の筐体２の上部に、硬貨入出金口４、紙幣入金口６、紙幣出金口８、表示部１０及び操作部１２が設けられている。硬貨入出金口４は、行員により硬貨が投入又は取り出される。紙幣入金口６は、行員により入金紙幣が投入される。紙幣出金口８は、行員により出金紙幣が取り出される。表示部１０は液晶ディスプレイにより構成され、メニュー画面、各種処理の結果画面等を表示する。操作部１２は押しボタンにより構成され、現金処理装置１に対する操作を受け付ける。筐体２内には、現金処理装置１全体を統括制御する主制御部１４、硬貨に関する種々の処理を行う硬貨ユニット１６及び紙幣に関する種々の処理を行う紙幣ユニット１８等が設けられている。以下では、現金処理装置１のうち行員が対峙する側を前側とし、その反対を後側とし、該前側に対峙した行員から見て左及び右をそれぞれ左側及び右側とし、さらに上側及び下側を定義して説明する。
【００１３】
［１−２．紙幣ユニットの構成］
図２に示すように、紙幣ユニット１８は、箱型の紙幣ユニット筐体２０の内部に、紙幣入金部２２、紙幣出金部２４、紙幣鑑別部２６、紙幣収納庫２８（２８ａ、２８ｂ及び２８ｃ）、リジェクト庫３０、補充回収庫３２、３分岐切替器３４、２分岐切替器３５、３６ａ、３６ｂ、３６ｃ及び３７、並びに搬送路４１が設けられており、主制御部１４（図１）が各部を統括制御する。
【００１４】
紙幣入金部２２及び紙幣出金部２４は、紙幣入金部２２が上側、紙幣出金部２４が下側となるように上下方向に並んで設けられている。紙幣入金部２２は、紙幣ユニット筐体２０内の上部前方に配され、上面が開口する箱型の収納部を有しており、この収納部の開口の一部が上述した紙幣入金口６となる。紙幣入金部２２は、入金取引時に行員により紙幣入金口６から収納部内に入金紙幣が投入されると、投入された入金紙幣を１枚ずつ分離して現金処理装置１内に取り込む。紙幣出金部２４は、紙幣ユニット筐体２０内の上部前方において紙幣入金部２２の下側に配され、前面が開口する箱型の集積部を有しており、この集積部の開口の一部が上述した紙幣出金口８となる。紙幣出金部２４は、入金取引時に入金すべきでないと判定された入金リジェクト紙幣や、出金取引時に紙幣収納庫２８ａ〜２８ｃ等から搬送されてくる出金紙幣を集積部に集積し、集積した入金リジェクト紙幣や出金紙幣を紙幣出金口８から行員に取り出させる。
【００１５】
紙幣鑑別部２６は、紙幣入金部２２及び紙幣出金部２４の後方且つ紙幣収納庫２８の上方に配され、搬送されてきた紙幣の金種、真偽、正損及び走行状態等を鑑別する。この紙幣鑑別部２６は、取り扱うことのできる正常紙幣か取り扱うことのできないリジェクト紙幣かをその鑑別結果に基づいて紙幣毎に判定する。
【００１６】
紙幣ユニット筐体２０内の下部には、前から後ろに向かって補充回収庫３２、リジェクト庫３０並びに紙幣収納庫２８ａ、２８ｂ及び２８ｃが前後方向に並んで設けられている。以下では紙幣収納庫２８ａ、２８ｂ及び２８ｃをまとめて紙幣収納庫２８とも呼ぶ。紙幣収納庫２８は、紙幣鑑別部２６の下方に配され、それぞれ、紙幣を金種毎に収納可能な箱型であり、搬送路４１を介して搬送されてくる紙幣を内部に上下方向に重ねて集積すると共に、内部に集積されている紙幣を１枚ずつ搬送路４１に繰り出す。この紙幣収納庫２８ａ、２８ｂ及び２８ｃは、それぞれが単一の金種の紙幣を収納する単一金種収納庫として設定されている。紙幣収納庫２８は、それぞれ個別に紙幣ユニット１８から着脱可能な着脱式となっている。
【００１７】
リジェクト庫３０は、紙幣収納庫２８より前方且つ補充回収庫３２の後方に配され、紙幣を収納可能な箱型であり、出金処理及び入金収納処理に紙幣鑑別部２６によってリジェクト紙幣と判定された紙幣を集積する。リジェクト庫３０は、紙幣ユニット１８の前面から着脱可能な着脱式となっている。紙幣回収時には、リジェクト紙幣が収納されたリジェクト庫３０を行員が紙幣ユニット１８から取り外すことにより、リジェクト紙幣を回収する。
【００１８】
補充回収庫３２は、紙幣ユニット筐体２０内の下部前方において紙幣入金部２２及び紙幣出金部２４の下方に配され、紙幣を収納可能な箱型であり、紙幣収納庫２８に補充する紙幣を収納し、また紙幣収納庫２８内から回収した紙幣を収納する。補充回収庫３２は、紙幣ユニット１８の前面から着脱可能な着脱式となっている。紙幣回収時には、紙幣が収納された補充回収庫３２を行員が紙幣ユニット１８から取り外すことにより、紙幣を回収する。一方紙幣補充時には、補充紙幣が装填された補充回収庫３２を行員が紙幣ユニット１８に取り付けることにより、紙幣を補充する。また補充回収庫３２は、入金処理において紙幣入金部２２から取り込まれ紙幣鑑別部２６により正常紙幣と判定された紙幣を一時的に集積する。補充回収庫３２に集積された紙幣は、入金取引成立後に該補充回収庫３２から繰り出されて紙幣鑑別部２６へ搬送され、紙幣鑑別部２６により金種が特定された後、紙幣収納庫２８へ搬送され収納される。また補充回収庫３２は、出金処理において紙幣の向きを反転する際にも用いられる。
【００１９】
２分岐切替器３５、３６ａ、３６ｂ、３６ｃ及び３７は、主制御部１４の制御に基づき図示しない駆動部に駆動され回動することによりブレードの傾斜方向を変化させて紙幣の搬送経路を２通りに切り替える２ウェイブレードである。３分岐切替器３４は、主制御部１４の制御に基づき図示しない駆動部に駆動され回動することによりブレードの傾斜方向を変化させて紙幣の搬送経路を３通りに切り替える３ウェイブレードである。
【００２０】
さらに紙幣ユニット筐体２０内には、これら紙幣入金部２２、紙幣出金部２４、紙幣鑑別部２６、紙幣収納庫２８、リジェクト庫３０、補充回収庫３２、３分岐切替器３４、２分岐切替器３５、３６ａ、３６ｂ、３６ｃ及び３７の各部を繋ぐ搬送路４１が設けられている。搬送路４１は、紙幣を短手方向に沿って搬送する。搬送路４１は、入金搬送路４２、主搬送路４４、出金搬送路４８、振分搬送路５２ａ、振分搬送路５２ｂ、振分搬送路５２ｃ及び補充回収庫搬送路５８により構成されている。
【００２１】
入金搬送路４２は、紙幣入金部２２から後方へ延びて紙幣鑑別部２６の上方を通過し紙幣ユニット１８の後部で下側に方向を変えて２分岐切替器３５まで延びることにより、紙幣入金部２２と鑑別搬送路４６及び収納搬送路５０とを接続している。
【００２２】
主搬送路４４は、鑑別搬送路４６、収納搬送路５０、収納庫搬送路５４ａ〜５４ｃ、接続搬送路５６及びリジェクト庫搬送路６０によりループ状に構成されている。
【００２３】
鑑別搬送路４６は、２分岐切替器３５から前方へ延びて紙幣鑑別部２６を通過し３分岐切替器３４まで延びることにより、入金搬送路４２及び収納搬送路５０と出金搬送路４８及び接続搬送路５６とを接続している。収納搬送路５０は、２分岐切替器３５から下方へ向かって２分岐切替器３６ｃまで延びることにより、入金搬送路４２及び鑑別搬送路４６と収納庫搬送路５４ｃ及び振分搬送路５２ｃとを接続している。
【００２４】
収納庫搬送路５４ｃは、２分岐切替器３６ｃから前方へ向かって２分岐切替器３６ｂまで延びることにより、収納搬送路５０及び振分搬送路５２ｃと収納庫搬送路５４ｂ及び振分搬送路５２ｂとを接続している。収納庫搬送路５４ｂは、２分岐切替器３６ｂから前方へ向かって２分岐切替器３６ａまで延びることにより、収納庫搬送路５４ｃ及び振分搬送路５２ｂと収納庫搬送路５４ａ及び振分搬送路５２ａとを接続している。収納庫搬送路５４ａは、２分岐切替器３６ａから前方へ向かってリジェクト庫３０の上方でリジェクト庫搬送路６０に合流することにより、収納庫搬送路５４ｂ及び振分搬送路５２ａとリジェクト庫搬送路６０とを接続している。
【００２５】
接続搬送路５６は、３分岐切替器３４から下方へ向かって２分岐切替器３７まで延びることにより、鑑別搬送路４６及び出金搬送路４８とリジェクト庫搬送路６０及び補充回収庫搬送路５８とを接続している。リジェクト庫搬送路６０は、２分岐切替器３７から下方へ向かって途中で収納庫搬送路５４ａに合流されリジェクト庫３０まで延びることにより、接続搬送路５６及び補充回収庫搬送路５８とリジェクト庫３０及び収納庫搬送路５４ａとを接続している。
【００２６】
振分搬送路５２ｃは、２分岐切替器３６ｃから下方へ向かって紙幣収納庫２８ｃまで延びることにより、収納搬送路５０及び収納庫搬送路５４ｃと紙幣収納庫２８ｃとを接続している。振分搬送路５２ｂは、２分岐切替器３６ｂから下方へ向かって紙幣収納庫２８ｂまで延びることにより、収納庫搬送路５４ｃ及び収納庫搬送路５４ｂと紙幣収納庫２８ｂとを接続している。振分搬送路５２ａは、２分岐切替器３６ａから下方へ向かって紙幣収納庫２８ａまで延びることにより、収納庫搬送路５４ｂ及び収納庫搬送路５４ａと紙幣収納庫２８ａとを接続している。
【００２７】
出金搬送路４８は、３分岐切替器３４から前方へ向かって紙幣出金部２４まで延びることにより、鑑別搬送路４６及び接続搬送路５６と紙幣出金部２４とを接続している。補充回収庫搬送路５８は、２分岐切替器３７から前方へ向かって補充回収庫３２まで延びることにより、接続搬送路５６及びリジェクト庫搬送路６０と補充回収庫３２とを接続している。
【００２８】
かかる構成において現金処理装置１の紙幣ユニット１８は、紙幣鑑別部２６による紙幣の鑑別結果等をもとに主制御部１４が各部を制御して、後述する入金計数処理、入金収納処理、入金返却処理、出金処理、表裏反転出金処理、回収処理及び補充処理を行う。
【００２９】
［１−３．入金計数処理］
現金処理装置１は、行員により操作部１２を介して入金計数処理が選択されると、紙幣入金部２２を紙幣の投入待ち状態とする。このとき補充回収庫３２内には紙幣が集積されていない。またこのとき現金処理装置１は、図３に示すように、入金搬送路４２を搬送された紙幣が鑑別搬送路４６へ搬送されるように２分岐切替器３５を切り替えることにより、入金搬送路４２と鑑別搬送路４６とを結ぶ搬送経路を形成する。紙幣入金部２２に紙幣が投入されると、現金処理装置１は、該紙幣を１枚ずつ分離し紙幣入金部２２から繰り出して入金搬送路４２に沿って後方へ搬送してから鑑別搬送路４６に沿って前方へ搬送し紙幣鑑別部２６を通過させる。
【００３０】
ここで現金処理装置１は、紙幣鑑別部２６により紙幣が正常な紙幣である入金可能紙幣と判定された場合は、該入金可能紙幣が補充回収庫３２へ搬送されるように３分岐切替器３４及び２分岐切替器３７を切り替えることにより、鑑別搬送路４６と接続搬送路５６と補充回収庫搬送路５８と補充回収庫３２とを結ぶ入金搬送経路Ｒ１を形成する。現金処理装置１は、入金可能紙幣を入金搬送経路Ｒ１に沿って鑑別搬送路４６、接続搬送路５６及び補充回収庫搬送路５８を通過させ補充回収庫３２へ搬送し一時的に集積する。
【００３１】
一方現金処理装置１は、紙幣鑑別部２６により紙幣が入金に適さない入金リジェクト紙幣と判定された場合は、該入金リジェクト紙幣が紙幣出金部２４へ搬送されるように３分岐切替器３４を切り替えることにより、鑑別搬送路４６と出金搬送路４８と紙幣出金部２４とを結ぶ入金リジェクト搬送経路Ｒ２を形成する。現金処理装置１は、入金リジェクト紙幣を入金リジェクト搬送経路Ｒ２に沿って鑑別搬送路４６及び出金搬送路４８を通過させ紙幣出金部２４へ集積し行員に返却する。因みに現金処理装置１は、紙幣の金種に対応した紙幣収納庫２８が満杯、すなわち追加集積不可状態であるフル状態の場合、該紙幣を紙幣出金部２４へ搬送して集積し行員に返却する。
【００３２】
［１−４．入金収納処理］
現金処理装置１は、入金計数処理の完了後に入金収納処理を行う。このとき現金処理装置１は、図４に示すように、補充回収庫搬送路５８を搬送された紙幣が収納搬送路５０へ搬送されるように２分岐切替器３７、３分岐切替器３４及び２分岐切替器３５を切り替えることにより、補充回収庫３２と補充回収庫搬送路５８と接続搬送路５６と鑑別搬送路４６と収納搬送路５０とを結ぶ搬送経路を形成する。現金処理装置１は、入金可能紙幣を１枚ずつ分離し補充回収庫３２から繰り出して補充回収庫搬送路５８、接続搬送路５６及び鑑別搬送路４６を介し紙幣鑑別部２６を通過させる。
【００３３】
ここで現金処理装置１は、紙幣鑑別部２６により紙幣が正常な紙幣である収納可能紙幣と判定された場合は、該収納可能紙幣が金種に応じて紙幣収納庫２８ａ、２８ｂ又は２８ｃへ搬送されるように２分岐切替器３６ａ、３６ｂ及び３６ｃを切り替えることにより、収納搬送路５０と振分搬送路５２ａ、５２ｂ又は５２ｃとを結ぶ収納搬送経路Ｒ３を形成する。現金処理装置１は、収納可能紙幣を収納搬送経路Ｒ３に沿って振分搬送路５２ｃか、収納庫搬送路５４ｃ及び振分搬送路５２ｂか、収納庫搬送路５４ｃ、収納庫搬送路５４ｂ及び振分搬送路５２ａかの何れかを通過させ紙幣収納庫２８ｃ、２８ｂ又は２８ａへ搬送し集積する。
【００３４】
一方現金処理装置１は、紙幣鑑別部２６により紙幣が収納に適さない収納リジェクト紙幣と判定された場合は、該収納リジェクト紙幣がリジェクト庫３０へ搬送されるように２分岐切替器３６ａ、３６ｂ及び３６ｃを切り替えることにより、収納搬送路５０と収納庫搬送路５４ｃと収納庫搬送路５４ｂと収納庫搬送路５４ａと収納庫搬送路５４ｃとリジェクト庫搬送路６０とリジェクト庫３０とを結ぶ収納リジェクト搬送経路Ｒ４を形成する。現金処理装置１は、収納リジェクト紙幣を収納リジェクト搬送経路Ｒ４に沿って収納庫搬送路５４ｃ、収納庫搬送路５４ｂ、収納庫搬送路５４ａ及び収納庫搬送路５４ｃを通過させ、リジェクト庫搬送路６０に合流させてリジェクト庫３０へ搬送し集積する。
【００３５】
［１−５．入金返却処理］
現金処理装置１は、行員により入金取引を中止するために操作部１２を介して入金返却処理が選択されると、入金返却処理を行う。このとき現金処理装置１は、図５に示すように、補充回収庫搬送路５８を搬送された紙幣が紙幣出金部２４へ搬送されるように２分岐切替器３７及び３分岐切替器３４を切り替えることにより、補充回収庫３２と補充回収庫搬送路５８と接続搬送路５６と出金搬送路４８と紙幣出金部２４とを結ぶ入金返却搬送経路Ｒ５を形成する。現金処理装置１は、入金可能紙幣を１枚ずつ分離し補充回収庫３２から繰り出して入金返却搬送経路Ｒ５に沿って補充回収庫搬送路５８、接続搬送路５６及び出金搬送路４８を通過させ紙幣出金部２４へ搬送し集積して行員に返却する。
【００３６】
［１−６．出金処理］
現金処理装置１は、行員により操作部１２を介して出金処理が選択されると、出金処理を行う。このとき現金処理装置１は、図６に示すように、金種に応じて紙幣収納庫２８ａ、２８ｂ又は２８ｃから繰り出された紙幣が鑑別搬送路４６へ搬送されるように２分岐切替器３６ａ、３６ｂ及び３６ｃ並びに２分岐切替器３５を切り替えることにより、振分搬送路５２ａ、５２ｂ又は５２ｃと収納搬送路５０と鑑別搬送路４６とを結ぶ搬送経路を形成する。現金処理装置１は、紙幣を１枚ずつ分離し紙幣収納庫２８ａ、２８ｂ又は２８ｃから繰り出して搬送経路に沿って振分搬送路５２ａ、収納庫搬送路５４ｂ及び収納庫搬送路５４ｃか、振分搬送路５２ｂ及び収納庫搬送路５４ｃか、振分搬送路５２ｃの何れかと、収納搬送路５０と、鑑別搬送路４６とを介し紙幣鑑別部２６を通過させる。
【００３７】
ここで現金処理装置１は、紙幣鑑別部２６により紙幣が正常な紙幣である出金可能紙幣と判定された場合は、該出金可能紙幣が紙幣出金部２４へ搬送されるように３分岐切替器３４を切り替えることにより、鑑別搬送路４６と出金搬送路４８と紙幣出金部２４とを結ぶ出金搬送経路Ｒ６を形成する。現金処理装置１は、出金可能紙幣を出金搬送経路Ｒ６に沿って鑑別搬送路４６及び出金搬送路４８を通過させ紙幣出金部２４へ搬送し集積して行員に受け渡す。
【００３８】
一方現金処理装置１は、紙幣鑑別部２６により紙幣が出金に適さない出金リジェクト紙幣と判定された場合は、該出金リジェクト紙幣がリジェクト庫３０へ搬送されるように３分岐切替器３４及び２分岐切替器３７を切り替えることにより、鑑別搬送路４６と接続搬送路５６とリジェクト庫搬送路６０とリジェクト庫３０とを結ぶ出金リジェクト搬送経路Ｒ７を形成する。現金処理装置１は、出金リジェクト紙幣を出金リジェクト搬送経路Ｒ７に沿って鑑別搬送路４６、接続搬送路５６及びリジェクト庫搬送路６０を通過させてリジェクト庫３０へ搬送し集積する。
【００３９】
［１−７．表裏反転出金処理］
現金処理装置１は、行員により操作部１２を介して表裏反転出金処理が選択されると、表裏反転出金処理を行う。現金処理装置１は、上述した出金処理と同様の動作を行い、紙幣を１枚ずつ分離し紙幣収納庫２８ａ、２８ｂ又は２８ｃから繰り出して紙幣鑑別部２６を通過させる。
【００４０】
ここで現金処理装置１は、紙幣鑑別部２６により紙幣が正常な紙幣であり且つ表面が上側を向いている表向きである一面側紙幣としての出金可能表向き紙幣と判定された場合は、図７（Ａ）に示すように、該出金可能表向き紙幣が紙幣出金部２４へ搬送されるように３分岐切替器３４を切り替えることにより、鑑別搬送路４６と出金搬送路４８と紙幣出金部２４とを結ぶ出金搬送経路Ｒ８を形成する。現金処理装置１は、出金可能表向き紙幣を出金搬送経路Ｒ８に沿って鑑別搬送路４６及び出金搬送路４８を通過させ紙幣出金部２４へ搬送し表向きに集積して行員に受け渡す。これにより紙幣出金部２４には紙幣が表向きで集積される。
【００４１】
一方現金処理装置１は、紙幣鑑別部２６により紙幣が正常な紙幣であり且つ裏面が上側を向いている裏向きである他面側紙幣としての出金可能裏向き紙幣と判定された場合は、該出金可能裏向き紙幣が補充回収庫３２へ搬送されるように３分岐切替器３４及び２分岐切替器３７を切り替えることにより、鑑別搬送路４６と接続搬送路５６と補充回収庫搬送路５８と補充回収庫３２とを結ぶ表裏反転出金搬送経路Ｒ９を形成する。現金処理装置１は、出金可能裏向き紙幣を表裏反転出金搬送経路Ｒ９に沿って鑑別搬送路４６、接続搬送路５６及び補充回収庫搬送路５８を通過させ補充回収庫３２へ搬送し裏向きに一時的に集積する。
【００４２】
また一方現金処理装置１は、紙幣鑑別部２６により紙幣が出金に適さない出金リジェクト紙幣と判定された場合は、上述した出金処理と同様に該出金リジェクト紙幣がリジェクト庫３０へ搬送されるように３分岐切替器３４及び２分岐切替器３７を切り替えることにより、鑑別搬送路４６と接続搬送路５６とリジェクト庫搬送路６０とリジェクト庫３０とを結ぶ出金リジェクト搬送経路Ｒ１０を形成する。現金処理装置１は、出金リジェクト紙幣を出金リジェクト搬送経路Ｒ１０に沿って鑑別搬送路４６、接続搬送路５６及びリジェクト庫搬送路６０を通過させてリジェクト庫３０へ搬送し集積する。
【００４３】
現金処理装置１は、出金すべき紙幣の紙幣収納庫２８からの繰出が完了すると、図７（Ｂ）に示すように、補充回収庫搬送路５８を搬送された紙幣が紙幣出金部２４へ搬送されるように２分岐切替器３７及び３分岐切替器３４を切り替えることにより、補充回収庫３２と補充回収庫搬送路５８と接続搬送路５６と出金搬送路４８と紙幣出金部２４とを結ぶ表裏反転出金搬送経路Ｒ１１を形成する。現金処理装置１は、出金可能裏向き紙幣を１枚ずつ分離し補充回収庫３２から繰り出して表裏反転出金搬送経路Ｒ１１に沿って補充回収庫搬送路５８、接続搬送路５６及び出金搬送路４８を通過させ紙幣出金部２４へ搬送し表向きに集積して行員に受け渡す。このように紙幣鑑別部２６を通過した際に裏向きだった紙幣は、一旦補充回収庫３２へ集積され、集積される前の搬送方向の後端側を先端側として補充回収庫３２から繰り出されることにより、表向きになって紙幣出金部２４に集積される。これにより紙幣出金部２４には紙幣が全て表向きで集積される。
【００４４】
［１−８．回収処理］
現金処理装置１は、行員により操作部１２を介して回収処理が選択されると、回収処理を行う。現金処理装置１は、上述した出金処理と同様の動作を行い、紙幣を１枚ずつ分離し紙幣収納庫２８ａ、２８ｂ又は２８ｃから繰り出して紙幣鑑別部２６を通過させる。
【００４５】
ここで現金処理装置１は、紙幣鑑別部２６により紙幣が正常な紙幣である回収可能紙幣と判定された場合は、図８に示すように、該回収可能紙幣が補充回収庫３２へ搬送されるように３分岐切替器３４及び２分岐切替器３７を切り替えることにより、鑑別搬送路４６と接続搬送路５６と補充回収庫搬送路５８と補充回収庫３２とを結ぶ回収搬送経路Ｒ１２を形成する。現金処理装置１は、回収可能紙幣を回収搬送経路Ｒ１２に沿って鑑別搬送路４６、接続搬送路５６及び補充回収庫搬送路５８を通過させ補充回収庫３２へ搬送し集積する。
【００４６】
一方現金処理装置１は、紙幣鑑別部２６により紙幣が回収に適さない回収リジェクト紙幣と判定された場合は、該回収リジェクト紙幣がリジェクト庫３０へ搬送されるように３分岐切替器３４及び２分岐切替器３７を切り替えることにより、鑑別搬送路４６と接続搬送路５６とリジェクト庫搬送路６０とリジェクト庫３０とを結ぶ回収リジェクト搬送経路Ｒ１３を形成する。現金処理装置１は、回収リジェクト紙幣を回収リジェクト搬送経路Ｒ１３に沿って鑑別搬送路４６、接続搬送路５６及びリジェクト庫搬送路６０を通過させてリジェクト庫３０へ搬送し集積する。
【００４７】
回収処理終了後に、補充回収庫３２及びリジェクト庫３０が紙幣ユニット１８から取り出され、それぞれ内部に集積されている紙幣が取り出されることにより、回収可能紙幣及び回収リジェクト紙幣が回収される。
【００４８】
［１−９．補充処理］
現金処理装置１は、補充紙幣が装填された補充回収庫３２と、空のリジェクト庫３０とが行員により紙幣ユニット１８に取り付けられ、行員により操作部１２を介して補充処理が選択されると、補充処理を行う。このとき現金処理装置１は、図９に示すように、補充回収庫搬送路５８を搬送された紙幣が収納搬送路５０へ搬送されるように２分岐切替器３７、３分岐切替器３４及び２分岐切替器３５を切り替えることにより、補充回収庫３２と補充回収庫搬送路５８と接続搬送路５６と鑑別搬送路４６と収納搬送路５０とを結ぶ搬送経路を形成する。現金処理装置１は、補充紙幣を１枚ずつ分離し補充回収庫３２から繰り出して補充回収庫搬送路５８、接続搬送路５６及び鑑別搬送路４６を介し紙幣鑑別部２６を通過させる。
【００４９】
ここで現金処理装置１は、紙幣鑑別部２６により紙幣が正常な紙幣である補充可能紙幣と判定された場合は、該補充可能紙幣が金種に応じて紙幣収納庫２８ａ、２８ｂ又は２８ｃへ搬送されるように２分岐切替器３６ａ、３６ｂ及び３６ｃを切り替えることにより、収納搬送路５０と振分搬送路５２ａ、５２ｂ又は５２ｃとを結ぶ補充搬送経路Ｒ１４を形成する。現金処理装置１は、補充可能紙幣を補充搬送経路Ｒ１４に沿って振分搬送路５２ｃか、収納庫搬送路５４ｃ及び振分搬送路５２ｂか、収納庫搬送路５４ｃ、収納庫搬送路５４ｂ及び振分搬送路５２ａかの何れかを通過させ紙幣収納庫２８ｃ、２８ｂ又は２８ａへ搬送し集積する。
【００５０】
一方現金処理装置１は、紙幣鑑別部２６により紙幣が補充に適さない補充リジェクト紙幣と判定された場合は、該補充リジェクト紙幣がリジェクト庫３０へ搬送されるように２分岐切替器３６ａ、３６ｂ及び３６ｃを切り替えることにより、収納搬送路５０と収納庫搬送路５４ｃと収納庫搬送路５４ｂと収納庫搬送路５４ａと収納庫搬送路５４ｃとリジェクト庫搬送路６０とリジェクト庫３０とを結ぶ補充リジェクト搬送経路Ｒ１５を形成する。現金処理装置１は、補充リジェクト紙幣を補充リジェクト搬送経路Ｒ１５に沿って収納庫搬送路５４ｃ、収納庫搬送路５４ｂ、収納庫搬送路５４ａ及び収納庫搬送路５４ｃを通過させ、リジェクト庫搬送路６０に合流させてリジェクト庫３０へ搬送し集積する。
【００５１】
補充回収庫３２内の補充紙幣を全て分離し、対応する金種の紙幣収納庫２８ａ、２８ｂ及び２８ｃか、リジェクト庫３０への集積を完了すると、現金処理装置１は補充処理を終了する。
【００５２】
ここで、補充処理において紙幣収納庫２８ａ、２８ｂ又は２８ｃにおける何れかがフル状態になり、補充紙幣の搬送先がなくなった場合、現金処理装置１は補充処理を中断する。このとき補充回収庫３２内に補充紙幣が残留した状態になるため、このままでは現金処理装置１は、入金計数処理及び入金収納処理を行うことができない。このため現金処理装置１は、補充回収庫３２内の紙幣を空にする必要がある。これに対し現金処理装置１は、補充回収庫３２内の紙幣を取り出してもらうように表示部１０に指示を出す。行員により補充回収庫３２内の紙幣が取り出されて、空になった補充回収庫３２が紙幣ユニット１８に装着されると、現金処理装置１は、紙幣ユニット１８の動作が可能な状態になる。
【００５３】
［１−１０．効果等］
以上の構成において現金処理装置１は、補充回収庫３２を、紙幣を一時的に保留する一時保留部として使用するようにした。これにより現金処理装置１は、専用の一時保留部を別途設ける必要がないため、該現金処理装置１を小型化できると共に低コスト化させることができる。
【００５４】
また現金処理装置１は、補充回収庫３２を、出金可能紙幣の表裏を反転する反転機構として使用するようにした。これにより現金処理装置１は、専用の反転機構を別途設けたり一時保留部を別途設け反転機構として使用したりする必要がないため、該現金処理装置１を小型化できると共に低コスト化させることができる。
【００５５】
従来、補充回収庫３２は、主に回収処理及び補充処理の際にしか用いられておらず、現金処理装置が通常の運用である入金計数処理、入金収納処理、入金返却処理、出金処理及び表裏反転出金処理を行う際には用いられていなかったため、利用頻度が多くはなかった。これに対し現金処理装置１は、頻度が高くない回収処理及び補充処理の際だけでなく、頻度が高い通常の運用である入金計数処理及び表裏反転出金処理においても補充回収庫３２を一時保留部として用いるようにした。これにより現金処理装置１は、通常の運用時にも補充回収庫３２を有効活用することができる。
【００５６】
また現金処理装置１は、入金計数処理及び表裏反転出金処理において予め補充回収庫３２を空にするようにした。これにより現金処理装置１は、顧客側の紙幣と現金処理装置１側の紙幣とが補充回収庫３２内で物理的に混在してしまうことを防止できる。
【００５７】
また現金処理装置１は、紙幣鑑別部２６よりも前側に紙幣入金部２２、紙幣出金部２４及び補充回収庫３２を配置し、該紙幣入金部２２から、入金搬送路４２を介し鑑別搬送路４６を紙幣鑑別部２６の一端側である後側に接続するようにした。このように現金処理装置１は、紙幣鑑別部２６よりも前側に紙幣入金部２２が配置された構成において、紙幣鑑別部２６の後側（すなわち紙幣入金部２２の逆側）から前側（すなわち紙幣入金部２２側）へ紙幣を搬送し紙幣鑑別部２６を通過させるようにした。
【００５８】
また現金処理装置１は、紙幣鑑別部２６の後側から鑑別搬送路４６を延ばし、入金搬送路４２と収納搬送路５０とに分岐させ、収納搬送路５０に紙幣収納庫２８及びリジェクト庫３０を接続するようにした。さらに現金処理装置１は、紙幣鑑別部２６の前側から鑑別搬送路４６を延ばし、該鑑別搬送路４６に紙幣出金部２４、補充回収庫３２及びリジェクト庫３０を接続するようにした。換言すれば現金処理装置１は、紙幣鑑別部２６の前側に配置された３分岐切替器３４とは逆側である紙幣鑑別部２６の後側に、入金計数処理には入金搬送路４２から鑑別搬送路４６へ紙幣の搬送先を切り替えると共に回収処理には鑑別搬送路４６から収納搬送路５０へ紙幣の搬送先を切り替える２分岐切替器３５を設けるようにした。
【００５９】
また現金処理装置１は、出金搬送路４８と接続搬送路５６と鑑別搬送路４６との接続箇所に３ウェイブレードである３分岐切替器３４を設けるようにした。これにより現金処理装置１は、紙幣鑑別部２６から紙幣出金部２４と補充回収庫３２又はリジェクト庫３０とに紙幣の搬送先を切り替えて搬送できると共に、補充回収庫３２から紙幣出金部２４と紙幣鑑別部２６とに紙幣の搬送先を切り替えて搬送できる。
【００６０】
従来、紙幣鑑別部の前側に配置された紙幣入金部から紙幣鑑別部の前側に搬送路が接続され、紙幣鑑別部の後側から紙幣収納庫等に搬送路が接続される現金処理装置があった。すなわち従来の現金処理装置は、紙幣入金部から紙幣鑑別部を通過した側の搬送路に紙幣収納庫等が接続されるものがあった。
【００６１】
これに対し現金処理装置１は、紙幣鑑別部２６を通過するループ状の主搬送路４４と、入金搬送路４２、出金搬送路４８、補充回収庫搬送路５８、振分搬送路５２ａ、５２ｂ及び５２ｃとを接続し、それら入金搬送路４２、出金搬送路４８、補充回収庫搬送路５８、振分搬送路５２ａ、５２ｂ及び５２ｃと各機構とを接続するようにした。これにより現金処理装置１は、紙幣鑑別部の前側に配置された紙幣入金部から紙幣鑑別部の前側に搬送路を接続し該紙幣鑑別部の後側から紙幣収納庫等に搬送路を接続する場合と比べて、搬送路の搬送路長自体は長くなるものの、一時保留部を省略しつつ搬送路の分岐及び切替器を少なくし、従来と同様に各処理を行うことができるため、現金処理装置１を小型化できる。
【００６２】
また現金処理装置１は、リジェクト庫３０でループ状の主搬送路４４の始端及び終端を接続するような形態としたことにより、入金収納処理時の収納リジェクト紙幣、出金処理時の出金リジェクト紙幣、補充処理時の補充リジェクト紙幣、回収処理時の回収リジェクト紙幣といった、種々のリジェクト紙幣を収納できる。これにより現金処理装置１は、入金計数処理時以外の種々のリジェクト紙幣の搬送先を１箇所に集約できるため、装置を簡素化できるとともに、余分な収納庫を設ける必要がなくなるため、装置を小型化できる。
【００６３】
また現金処理装置１は、このような搬送路４１の構成のため、入金計数処理と出金処理とでは紙幣鑑別部２６を前方から後方へ向かって紙幣が通過し、入金収納処理では入金計数処理及び出金処理とは逆に紙幣鑑別部２６を後方から前方へ向かって紙幣が通過することとなる。
【００６４】
さらに現金処理装置１は、補充回収庫３２及びリジェクト庫３０を紙幣ユニット１８の前側に配置するようにした。これにより現金処理装置１は、補充回収庫３２及びリジェクト庫３０が着脱される際の操作性を向上させることができる。
【００６５】
また現金処理装置１は、搬送路４１の分岐を少なくすることにより簡易な搬送路４１の構成としつつ、切替器の個数も抑えることにより、簡易な構成にできる。また現金処理装置１は、簡易な構成としつつ、入金計数処理、入金収納処理、出金処理、表裏反転出金処理、回収処理及び補充処理の全てにおいて紙幣に紙幣鑑別部２６を通過させることができる。
【００６６】
以上の構成によれば、現金処理装置１は、入金紙幣が投入される紙幣入金部２２と、出金紙幣が集積される紙幣出金部２４と、入金紙幣又は出金紙幣を鑑別する紙幣鑑別部２６と、紙幣を収納する複数の紙幣収納庫２８と、リジェクト紙幣を収納するリジェクト庫３０と、補充処理においては紙幣収納庫２８に集積させる紙幣を収納し、回収処理においては紙幣収納庫２８から搬送された紙幣を収納すると共に、入金処理においては入金紙幣を一時的に保留する補充回収庫３２と、紙幣入金部２２、紙幣出金部２４、紙幣鑑別部２６、紙幣収納庫２８、リジェクト庫３０及び補充回収庫３２を接続する搬送路４１とを設けるようにした。
【００６７】
これにより現金処理装置１は、補充処理又は回収処理において利用されていた補充回収庫３２を一時保留部としても利用することにより、補充回収庫３２に加えて一時保留部を設ける必要がなくなるため一時保留部を省略でき、装置を小型化できる。
【００６８】
また現金処理装置１は、入金紙幣が投入される紙幣入金部２２と、紙幣入金部２２と接続され、該紙幣入金部２２の紙幣を搬送する入金搬送路４２と、入金搬送路４２と接続される主搬送路４４と、主搬送路４４に配置され、紙幣入金部２２側へ向かって搬送される入金紙幣又は出金紙幣を鑑別する紙幣鑑別部２６と、主搬送路４４に接続され、紙幣を収納する複数の紙幣収納庫２８と、回収搬送路としての補充回収庫搬送路５８を介して主搬送路４４に接続され、紙幣収納庫２８から回収すべき紙幣を収納する補充回収庫３２と、出金搬送路４８を介して主搬送路４４と接続され、出金紙幣が集積される紙幣出金部２４と、主搬送路４４に設けられ、紙幣鑑別部２６を通過した紙幣を出金搬送路４８又は補充回収庫搬送路５８の何れかの方向へ振り分ける３分岐切替器３４とを設けるようにした。
【００６９】
これにより現金処理装置１は、搬送路の分岐及び切替器を少なくできるため、装置を小型化できる。
【００７０】
さらに現金処理装置１は、入金紙幣が投入される紙幣入金部２２と、紙幣入金部２２と接続され、該紙幣入金部２２の紙幣を搬送する入金搬送路４２と、入金搬送路４２と接続される主搬送路４４と、出金搬送路４８を介して主搬送路４４と接続され、出金紙幣が集積される紙幣出金部２４と、主搬送路４４に配置され、入金紙幣又は出金紙幣を鑑別する紙幣鑑別部２６と、収納庫搬送路５４ａ〜５４ｃを介して主搬送路４４と接続され、紙幣を収納する複数の紙幣収納庫２８と、接続搬送路５６を介して主搬送路４４と接続され、補充処理においては紙幣収納庫２８に集積させる紙幣を収納し、回収処理においては紙幣収納庫２８から搬送された紙幣を収納すると共に、入金処理においては入金紙幣を一時的に保留する補充回収庫３２と、主搬送路４４と出金搬送路４８と接続搬送路５６との分岐に設けられ、紙幣鑑別部２６を通過した紙幣を出金搬送路４８又は接続搬送路５６の何れかの方向へ振り分ける３分岐切替器３４とを設けるようにした。
【００７１】
これにより現金処理装置１は、補充処理又は回収処理において利用されていた補充回収庫３２を一時保留部としても利用することにより、補充回収庫３２に加えて一時保留部を設ける必要がなくなるため一時保留部を省略でき、装置を小型化できる。
【００７２】
［２．第２の実施の形態］
［２−１．現金処理装置及び紙幣ユニットの構成］
図１に示すように、第２の実施の形態による現金処理装置１０１は、第１の実施の形態による現金処理装置１と比べて、それぞれ主制御部１１４が主制御部１４と、紙幣ユニット１１８が紙幣ユニット１８と異なっているものの、それ以外は同様に構成されている。図２と対応する部材に同一符号を付した図１０に示すように、紙幣ユニット１１８における紙幣収納庫２８ｂ及び２８ｃは、紙幣ユニット１８と同様に、それぞれが単一の金種の紙幣を収納する単一金種収納庫として設定されており、金種１（例えば１０００円札）の紙幣である第１金種紙幣ＢＬ１を収納する。紙幣収納庫２８ａは、混在した金種の紙幣を収納する混在金種収納庫として設定されており、第１金種紙幣ＢＬ１と金種２（例えば１００００円札）の紙幣である第２金種紙幣ＢＬ２とを収納する。ここで、紙幣収納庫２８ｂはフル状態であり、紙幣収納庫２８ａ及び２８ｃは追加集積可能状態である通常状態であるとする。
【００７３】
［２−２．入金計数処理］
現金処理装置１０１は、行員により操作部１２を介して入金計数処理が選択されると、紙幣入金部２２を紙幣の投入待ち状態とする。このとき紙幣入金部２２には、図１１（Ａ）に示すように第１金種紙幣ＢＬ１の束と第２金種紙幣ＢＬ２の束とが投入される。現金処理装置１０１は、上述した入金計数処理と同様の処理を行い、紙幣を１枚ずつ分離し紙幣入金部２２から繰り出して、図１１（Ｂ）に示すように、入金可能紙幣を入金搬送経路Ｒ１に沿って補充回収庫３２へ搬送し一時的に集積する一方、入金リジェクト紙幣を入金リジェクト搬送経路Ｒ２に沿って紙幣出金部２４へ搬送して集積し行員に返却する。
【００７４】
このとき第２金種紙幣ＢＬ２を収納する紙幣収納庫２８ｂはフル状態であるため、第２金種紙幣ＢＬ２を補充回収庫３２から紙幣収納庫２８ｂへは搬送し得ない状態となっている。
【００７５】
［２−３．入金収納処理］
現金処理装置１０１は、入金計数処理の完了後に入金収納処理を行う。現金処理装置１０１は、上述した入金収納処理と同様の処理を行い、入金可能紙幣を１枚ずつ分離し補充回収庫３２から繰り出して、図１２（Ａ）に示すように、収納可能紙幣を収納搬送経路Ｒ３に沿って紙幣収納庫２８ｃ、２８ｂ又は２８ａへ搬送し集積する一方、収納リジェクト紙幣を収納リジェクト搬送経路Ｒ４に沿ってリジェクト庫３０へ搬送し集積する。
【００７６】
このとき第２金種紙幣ＢＬ２を収納する紙幣収納庫２８ｂはフル状態であるため、現金処理装置１０１は、図１２（Ｂ）に示すように、第２金種紙幣ＢＬ２を補充回収庫３２から、通常状態の混在金種収納庫である紙幣収納庫２８ａへ搬送し集積する。一方第１金種紙幣ＢＬ１を収納する紙幣収納庫２８ｃは通常状態であるため、現金処理装置１０１は、第１金種紙幣ＢＬ１を補充回収庫３２から、単一金種収納庫である紙幣収納庫２８ｃへ搬送し集積する。このように現金処理装置１０１は、集積先の紙幣収納庫２８がフル状態のためにそれ以上紙幣が集積できない場合であっても、該紙幣を混在金種収納庫である紙幣収納庫２８ａに集積することにより、紙幣の搬送先を確保し、紙幣ユニット１１８を停止させることなく入金収納処理を継続することができる。
【００７７】
［２−４．補充処理］
現金処理装置１は、補充紙幣が装填された補充回収庫３２と、空のリジェクト庫３０とが行員により紙幣ユニット１８に取り付けられ、行員により操作部１２を介して補充処理が選択されると、補充処理を行う。現金処理装置１０１は、上述した補充処理と同様の処理を行い、補充紙幣を１枚ずつ分離し補充回収庫３２から繰り出して、図１３（Ａ）に示すように、補充紙幣を補充搬送経路Ｒ１４に沿って紙幣収納庫２８ａ、２８ｂ又は２８ｃへ搬送し集積する一方、補充リジェクト紙幣を補充リジェクト搬送経路Ｒ１５に沿ってリジェクト庫３０へ搬送し集積する。
【００７８】
このとき第２金種紙幣ＢＬ２を収納する紙幣収納庫２８ｂはフル状態であるため、現金処理装置１０１は、図１３（Ｂ）に示すように、第２金種紙幣ＢＬ２を補充回収庫３２から、通常状態の混在金種収納庫である紙幣収納庫２８ａへ搬送し集積する。一方第１金種紙幣ＢＬ１を収納する紙幣収納庫２８ｃは通常状態であるため、現金処理装置１０１は、第１金種紙幣ＢＬ１を補充回収庫３２から、単一金種収納庫である紙幣収納庫２８ｃへ搬送し集積する。このように現金処理装置１０１は、補充先の紙幣収納庫２８がフル状態のためにそれ以上紙幣が集積できない場合であっても、該紙幣を混在金種収納庫である紙幣収納庫２８ａに集積することにより、紙幣の搬送先を確保し、紙幣ユニット１１８を停止させることなく補充処理を継続することができる。
【００７９】
ここで、紙幣収納庫２８ａ、２８ｂ及び２８ｃが全てフル状態になり、補充回収庫３２内に補充紙幣が残留している場合、現金処理装置１０１は、出金処理以外の取引を停止し、出金処理のみの運用に制限する。この状態で出金処理が継続し、紙幣収納庫２８ａ、２８ｂ及び２８ｃのうち、補充回収庫３２に残留している金種の紙幣が補充されるべき紙幣収納庫２８がフル状態から通常状態になった場合、現金処理装置１０１は、補充回収庫３２に残留している補充紙幣を紙幣収納庫２８へ搬送し、該補充回収庫３２内の補充紙幣が全てなくなった場合、再度全ての取引を可能な状態にする。
【００８０】
その他現金処理装置１０１の紙幣ユニット１１８は、現金処理装置１の紙幣ユニット１８と同様の入金返却処理、出金処理及び回収処理を行う。
【００８１】
［２−５．混在金種収納庫の紙幣の振分処理］
現金処理装置１０１は、単一金種収納庫である紙幣収納庫２８ｂ及び２８ｃに収納された紙幣の枚数が少なくなり、且つ混在金種収納庫である紙幣収納庫２８ａに紙幣が収納されている場合、該紙幣収納庫２８ａに収納された紙幣を紙幣収納庫２８ｂ及び２８ｃに振り分ける振分処理を行う。
【００８２】
現金処理装置１０１は、上述した回収処理とほぼ同様の動作を行い、第１金種紙幣ＢＬ１及び第２金種紙幣ＢＬ２を１枚ずつ分離し紙幣収納庫２８ａから繰り出して、図１４（Ａ）に示すように、第１金種紙幣ＢＬ１及び第２金種紙幣ＢＬ２を振分回収搬送経路Ｒ１６に沿って補充回収庫３２へ搬送し集積する。図１４（Ｂ）に示すように、紙幣収納庫２８ａから紙幣収納庫２８ｂ及び２８ｃへ振り分けるべき第１金種紙幣ＢＬ１及び第２金種紙幣ＢＬ２が補充回収庫３２に集積されると、現金処理装置１０１は、上述した補充処理と同様の処理を行い、第１金種紙幣ＢＬ１及び第２金種紙幣ＢＬ２を１枚ずつ分離し補充回収庫３２から繰り出して、図１５（Ａ）に示すように、第１金種紙幣ＢＬ１及び第２金種紙幣ＢＬ２を振分補充搬送経路Ｒ１７に沿って紙幣収納庫２８ｂ及び２８ｃへ搬送し集積する。
【００８３】
このように現金処理装置１０１は、図１５（Ｂ）に示すように、収納された紙幣の枚数が少なくなった紙幣収納庫２８ｂ及び２８ｃに紙幣収納庫２８ａから補充回収庫３２を介し紙幣を移動させることにより、紙幣収納庫２８ａに収納されていた紙幣を出金処理に用いることができる。
【００８４】
［２−６．効果等］
ここで、従来のように一時保留部が設けられている現金処理装置の場合、紙幣収納庫２８がフル状態になった場合、該紙幣収納庫２８が通常状態になるまで紙幣を補充回収庫に一時的に集積させておけばよかった。これに対し現金処理装置１０１は、入金計数処理及び表裏反転出金処理において補充回収庫３２を利用するために該補充回収庫３２は予め空になっている必要があるため、紙幣収納庫２８に入りきらない紙幣を補充回収庫３２に一時的に集積させておくことは好ましくない。
【００８５】
これに対し現金処理装置１０１は、複数の紙幣収納庫２８の内の１個を混在金種収納庫に設定にするようにした。これにより現金処理装置１０１は、入金計数処理及び表裏反転出金処理において補充回収庫３２に紙幣を一時保留する場合において、単一金種収納庫の紙幣収納庫２８がフル状態になった状態でも、補充回収庫３２の紙幣を混在金種収納庫の紙幣収納庫２８に収納することにより、紙幣ユニット１１８の取引を停止せずに継続できる。
【００８６】
その他第２の実施の形態による現金処理装置１０１は、第１の実施の形態による現金処理装置１とほぼ同様の作用効果を奏する。
【００８７】
［３．第３の実施の形態］
［３−１．現金処理装置及び紙幣ユニットの構成］
図１に示すように、第３の実施の形態による現金処理装置２０１は、第１の実施の形態による現金処理装置１と比べて、それぞれ主制御部２１４が主制御部１４と、紙幣ユニット２１８が紙幣ユニット１８と異なっているものの、それ以外は同様に構成されている。図２と対応する部材に同一符号を付した図１６に示すように、紙幣ユニット２１８は、紙幣ユニット１８と比べて、搬送路２４１が搬送路４１と異なり、２分岐切替器３５が省略されていると共に２分岐切替器３８、３９及び４０が追加されているものの、それ以外は同様に構成されている。
【００８８】
２分岐切替器３８、３９及び４０は、主制御部２１４の制御に基づき図示しない駆動部に駆動され回動することによりブレードの傾斜方向を変化させて紙幣の搬送経路を２通りに切り替える２ウェイブレードである。
【００８９】
搬送路２４１は、搬送路４１における入金搬送路４２、主搬送路４４、出金搬送路４８、振分搬送路５２ａ、振分搬送路５２ｂ、振分搬送路５２ｃ及び補充回収庫搬送路５８それぞれに対応する、入金搬送路２４２、主搬送路２４４、出金搬送路２４８、振分搬送路２５２ａ、振分搬送路２５２ｂ、振分搬送路２５２ｃ及び補充回収庫搬送路２５８に加えて、下側接続搬送路２６２が設けられている。
【００９０】
入金搬送路２４２は、紙幣入金部２２から後方へ向かって２分岐切替器３８まで延びることにより、紙幣入金部２２と鑑別収納搬送路２４６及び上側接続搬送路２６４とを接続している。
【００９１】
主搬送路４４は、鑑別収納搬送路２４６、収納庫搬送路２５４ａ、収納庫搬送路２５４ｂ、収納庫搬送路２５４ｃ、収納時リジェクト庫搬送路２６８、接続搬送路２５６、リジェクト庫搬送路２６０、補充回収庫リジェクト庫出金部搬送路２６６及び上側接続搬送路２６４によりループ状に構成されている。
【００９２】
鑑別収納搬送路２４６は、２分岐切替器３８から後方へ向かって紙幣鑑別部２６を通過し紙幣ユニット２１８の後部で下側に方向を変えて２分岐切替器３６ｃまで延びることにより、入金搬送路２４２及び上側接続搬送路２６４と収納庫搬送路２５４ｃ及び振分搬送路２５２ｃとを接続している。
【００９３】
収納庫搬送路２５４ｃ及び２５４ｂは、収納庫搬送路５４ｃ及び５４ｂと同様に構成されている。収納庫搬送路２５４ａは、２分岐切替器３６ａから前方へ向かって２分岐切替器４０まで延びることにより、収納庫搬送路２５４ｂ及び振分搬送路２５２ａと収納時リジェクト庫搬送路２６８及び下側接続搬送路２６２を接続している。収納時リジェクト庫搬送路２６８は、２分岐切替器４０から前方へ向かってリジェクト庫３０の上方でリジェクト庫搬送路２６０に合流することにより、収納庫搬送路２５４ａ及び下側接続搬送路２６２とリジェクト庫搬送路２６０とを接続している。
【００９４】
接続搬送路２５６は、３分岐切替器３４から下方へ向かって２分岐切替器３７まで延びることにより、補充回収庫リジェクト庫出金部搬送路２６６及び出金搬送路２４８とリジェクト庫搬送路２６０及び補充回収庫搬送路２５８とを接続している。リジェクト庫搬送路２６０は、２分岐切替器３７から下方へ向かって途中で収納時リジェクト庫搬送路２６８に合流されリジェクト庫３０まで延びることにより、接続搬送路２５６及び補充回収庫搬送路２５８とリジェクト庫３０及び収納時リジェクト庫搬送路２６８とを接続している。補充回収庫リジェクト庫出金部搬送路２６６は、２分岐切替器３９から前方へ向かって３分岐切替器３４まで延びることにより、上側接続搬送路２６４及び下側接続搬送路２６２と出金搬送路２４８及び接続搬送路２５６とを接続している。
【００９５】
振分搬送路２５２ａ、２５２ｂ及び２５２ｃは、振分搬送路５２ａ、５２ｂ及び５２ｃと同様に構成されている。
【００９６】
出金搬送路２４８は、３分岐切替器３４から前方へ向かって紙幣出金部２４まで延びることにより、補充回収庫リジェクト庫出金部搬送路２６６及び接続搬送路２５６と紙幣出金部２４とを接続している。補充回収庫搬送路２５８は、２分岐切替器３７から前方へ向かって補充回収庫３２まで延びることにより、接続搬送路２５６及びリジェクト庫搬送路２６０と補充回収庫３２とを接続している。
【００９７】
上側接続搬送路２６４は、２分岐切替器３８から下方へ向かって２分岐切替器３９まで延びることにより、鑑別収納搬送路２４６及び入金搬送路２４２と補充回収庫リジェクト庫出金部搬送路２６６及び下側接続搬送路２６２とを接続している。下側接続搬送路２６２は、２分岐切替器４０から上方へ向かって２分岐切替器３９まで延びることにより、収納庫搬送路２５４ａ及び収納時リジェクト庫搬送路２６８と上側接続搬送路２６４及び補充回収庫リジェクト庫出金部搬送路２６６とを接続している。
【００９８】
［３−２．入金計数処理］
現金処理装置２０１は、行員により操作部１２を介して入金計数処理が選択されると、紙幣入金部２２を紙幣の投入待ち状態とする。現金処理装置２０１は、紙幣を１枚ずつ分離し紙幣入金部２２から繰り出して、図１７に示すように、入金可能紙幣を入金搬送経路Ｒ２０１に沿って補充回収庫３２へ搬送し一時的に集積する一方、入金リジェクト紙幣を入金リジェクト搬送経路Ｒ２０２に沿って紙幣出金部２４へ搬送して集積し行員に返却する。
【００９９】
［３−３．入金収納処理］
現金処理装置２０１は、入金計数処理の完了後に入金収納処理を行う。現金処理装置２０１は、入金可能紙幣を１枚ずつ分離し補充回収庫３２から繰り出して、図１８に示すように、収納可能紙幣を収納搬送経路Ｒ２０３に沿って紙幣収納庫２８ａ、２８ｂ又は２８ｃへ搬送し集積する一方、収納リジェクト紙幣を収納リジェクト搬送経路Ｒ２０４に沿ってリジェクト庫３０へ搬送し集積する。
【０１００】
［３−４．入金返却処理］
現金処理装置２０１は、行員により操作部１２を介して入金返却処理が選択されると、入金返却処理を行う。現金処理装置２０１は、入金可能紙幣を１枚ずつ分離し補充回収庫３２から繰り出して、図１９に示すように入金返却搬送経路Ｒ２０５に沿って紙幣出金部２４へ搬送して集積し行員に返却する。
【０１０１】
［３−５．出金処理］
現金処理装置２０１は、行員により操作部１２を介して出金処理が選択されると、出金処理を行う。現金処理装置２０１は、紙幣を１枚ずつ分離し紙幣収納庫２８ａ、２８ｂ又は２８ｃから繰り出して、図２０に示すように、出金可能紙幣を出金搬送経路Ｒ２０６に沿って紙幣出金部２４へ搬送して集積し行員に受け渡す一方、出金リジェクト紙幣を出金リジェクト搬送経路Ｒ２０７に沿ってリジェクト庫３０へ搬送し集積する。
【０１０２】
［３−６．表裏反転出金処理］
現金処理装置２０１は、行員により操作部１２を介して表裏反転出金処理が選択されると、表裏反転出金処理を行う。現金処理装置２０１は、紙幣を１枚ずつ分離し紙幣収納庫２８ａ、２８ｂ又は２８ｃから繰り出して、図２１（Ａ）に示すように、出金可能表向き紙幣を出金搬送経路Ｒ２０８に沿って紙幣出金部２４へ搬送して集積し行員に返却する一方、出金可能裏向き紙幣を表裏反転出金搬送経路Ｒ２０９に沿って補充回収庫３２へ搬送し一時的に集積する。また一方現金処理装置２０１は、出金リジェクト紙幣を出金リジェクト搬送経路Ｒ２１０に沿ってリジェクト庫３０へ搬送し集積する。
【０１０３】
現金処理装置２０１は、出金すべき紙幣の紙幣収納庫２８からの繰出が完了すると、出金可能裏向き紙幣を１枚ずつ分離し補充回収庫３２から繰り出して、図２１（Ｂ）に示すように表裏反転出金搬送経路Ｒ２１１に沿って紙幣出金部２４へ搬送して集積し行員に受け渡す。
【０１０４】
［３−７．回収処理］
現金処理装置２０１は、行員により操作部１２を介して回収処理が選択されると、回収処理を行う。現金処理装置２０１は、紙幣を１枚ずつ分離し紙幣収納庫２８ａ、２８ｂ又は２８ｃから繰り出して、図２２に示すように、回収可能紙幣を回収搬送経路Ｒ２１２に沿って補充回収庫３２へ搬送し集積する一方、回収リジェクト紙幣を回収リジェクト搬送経路Ｒ２１３に沿ってリジェクト庫３０へ搬送し集積する。
【０１０５】
［３−８．補充処理］
現金処理装置２０１は、補充紙幣が装填された補充回収庫３２と、空のリジェクト庫３０とが行員により紙幣ユニット２１８に取り付けられ、行員により操作部１２を介して補充処理が選択されると、補充処理を行う。現金処理装置２０１は、補充紙幣を１枚ずつ分離し補充回収庫３２から繰り出して、図２３に示すように、補充可能紙幣を補充搬送経路Ｒ２１４に沿って紙幣収納庫２８ａ、２８ｂ又は２８ｃへ搬送し集積する一方、補充リジェクト紙幣を補充リジェクト搬送経路Ｒ２１５に沿ってリジェクト庫３０へ搬送し集積する。
【０１０６】
［３−９．効果等］
現金処理装置２０１は、紙幣鑑別部２６よりも前側に紙幣入金部２２、紙幣出金部２４及び補充回収庫３２を配置し、紙幣鑑別部２６の前側（すなわち紙幣入金部２２側）から後側へ鑑別収納搬送路２４６を通過させ、該鑑別収納搬送路２４６の下流側に紙幣収納庫２８及びリジェクト庫３０を接続するようにした。
【０１０７】
このような構成において現金処理装置２０１は、入金計数処理において紙幣鑑別部２６を前側から後側へ通過した紙幣を補充回収庫３２又は紙幣出金部２４へ搬送するために、下側接続搬送路２６２を設けている。また現金処理装置２０１は、入金収納処理、出金処理、表裏反転出金処理及び回収処理において、紙幣に紙幣鑑別部２６を通過させるために、上側接続搬送路２６４を設けている。それと共に現金処理装置２０１は、これら上側接続搬送路２６４や下側接続搬送路２６２等に紙幣を振り分けるために、２分岐切替器３８、３９及び４０を設けている。
【０１０８】
このように現金処理装置２０１は、補充回収庫３２を、紙幣を一時的に保留する一時保留部として使用するようにした。これにより現金処理装置２０１は、専用の一時保留部を別途設ける必要がないため、該現金処理装置２０１を小型化できると共に低コスト化させることができる。
【０１０９】
その他第３の実施の形態による現金処理装置２０１は、第１の実施の形態による現金処理装置１とほぼ同様の作用効果を奏する。
【０１１０】
［４．他の実施の形態］
なお上述した第１の実施の形態においては、補充処理において紙幣収納庫２８ａ、２８ｂ又は２８ｃにおける何れかがフル状態になった場合、現金処理装置１は、補充処理を中断し、補充回収庫３２内の紙幣を取り出してもらうように表示部１０に指示を出し、行員により補充回収庫３２内の紙幣が取り出されて空になった補充回収庫３２が紙幣ユニット１８に装着されると、紙幣ユニット１８の動作を可能な状態にする場合について述べた。本発明はこれに限らず、図５に示した入金返却処理と同様の処理をすることにより、補充回収庫３２内の紙幣を紙幣出金部２４へ搬送して行員に受け取ってもらうことにより、補充回収庫３２内の紙幣を空にして、紙幣ユニット１８の動作を可能な状態にしても良い。
【０１１１】
また上述した実施の形態においては、入金計数処理及び表裏反転出金処理においては予め補充回収庫３２を空にする場合について述べた。本発明はこれに限らず、既に補充回収庫３２に紙幣が集積されている状態であっても、該紙幣の上に仕切板を配置したり模擬券を挿入したりすることにより、該紙幣と、入金計数処理及び表裏反転出金処理において補充回収庫３２に一時的に集積される紙幣とが物理的に区別されていれば、入金計数処理及び表裏反転出金処理に予め補充回収庫３２を空にしなくても良い。
【０１１２】
さらに上述した第１の実施の形態においては、表裏反転出金処理に出金可能裏向き紙幣を補充回収庫３２へ一旦集積してから繰り出して紙幣出金部２４へ搬送することにより該出金可能裏向き紙幣を反転させる場合について述べた。本発明はこれに限らず、出金可能裏向き紙幣を接続搬送路５６、補充回収庫搬送路５８又はリジェクト庫搬送路６０上に一旦保留してから紙幣出金部２４へ搬送することにより反転させても良い。またリジェクト庫搬送路６０と収納庫搬送路５４ａとを相互に搬送可能に接続し、出金可能裏向き紙幣を該収納庫搬送路５４ａに一旦保留しても良い。
【０１１３】
さらに上述した第１の実施の形態においては、収納庫搬送路５４ａは、リジェクト庫３０に向かうようリジェクト庫搬送路６０に合流する場合について述べた。本発明はこれに限らず、収納庫搬送路５４ａと接続搬送路５６との接続箇所に切替器を設け、収納庫搬送路５４ａからリジェクト庫３０又は接続搬送路５６へ切り替えて紙幣を搬送可能にしても良い。
【０１１４】
さらに上述した実施の形態においては、出金時に表面が上側を向いている紙幣を表向きの紙幣とし、裏面が上側を向いている紙幣を裏向きの紙幣とする場合について述べた。本発明はこれに限らず、出金時に裏面が上側を向いている紙幣を表向きの紙幣とし、表面が上側を向いている紙幣を裏向きの紙幣としても良い。
【０１１５】
さらに上述した実施の形態においては、補充回収庫３２は、紙幣収納庫２８に補充する紙幣を収納し、且つ紙幣収納庫２８内から回収した紙幣を収納する場合について述べた。本発明はこれに限らず、少なくとも紙幣収納庫２８内から回収した紙幣を収納すれば良い。その場合現金処理装置は、紙幣入金部２２から紙幣を行員に投入させ紙幣収納庫２８へ補充すれば良い。
【０１１６】
さらに上述した第１の実施の形態においては、現金処理装置１に紙幣収納庫２８が３個設けられている場合について述べた。本発明はこれに限らず、２個以下か、又は４個以上の任意の個数だけ紙幣収納庫２８が設けられていても良い。
【０１１７】
さらに上述した第２の実施の形態においては、現金処理装置１０１に紙幣収納庫２８が３個設けられている場合について述べた。本発明はこれに限らず、２個以上の任意の個数だけ紙幣収納庫２８が設けられていても良い。その場合、少なくとも１個の紙幣収納庫２８が混在金種収納庫であれば良い。
【０１１８】
さらに上述した第１の実施の形態においては、紙幣入金部２２と紙幣出金部２４とが別体で設けられた紙幣ユニット１８に本発明を適用する場合について述べた。本発明はこれに限らず、紙幣入金部と紙幣出金部とを兼用する紙幣入出金部が設けられた紙幣ユニットに本発明を適用しても良い。
【０１１９】
さらに上述した第１の実施の形態においては、行員との間で媒体としての紙幣に関する取引処理を行う現金処理装置１の紙幣ユニット１８に本発明を適用する場合について述べた。本発明はこれに限らず、顧客との間で所望の取引を行う現金取引装置（ＡＴＭ：Automatic Teller Machine）や、釣銭機や、例えば各種金券や証券等、或いは入場券や乗車券のような種々の紙葉状の媒体を取り扱う種々の装置に本発明を適用しても良い。
【０１２０】
さらに上述した実施の形態においては、入金部としての紙幣入金部２２と、出金部としての紙幣出金部２４と、鑑別部としての紙幣鑑別部２６と、紙幣収納庫としての紙幣収納庫２８と、リジェクト庫としてのリジェクト庫３０と、兼用収納庫としての補充回収庫３２と、搬送路としての搬送路４１とによって、紙幣処理装置としての紙幣ユニット１８を構成する場合について述べた。
【０１２１】
本発明はこれに限らず、その他種々の構成でなる入金部と、出金部と、鑑別部と、紙幣収納庫と、リジェクト庫と、搬送路と、兼用収納庫とによって、紙幣処理装置を構成するようにしても良い。
【０１２２】
さらに上述した実施の形態においては、入金部としての紙幣入金部２２と、入金搬送路としての入金搬送路４２と、主搬送路としての主搬送路４４と、鑑別部としての紙幣鑑別部２６と、紙幣収納庫としての紙幣収納庫２８と、回収庫としての補充回収庫３２と、出金部としての紙幣出金部２４と、切替部としての３分岐切替器３４とによって、紙幣処理装置としての紙幣ユニット１８を構成する場合について述べた。
【０１２３】
本発明はこれに限らず、その他種々の構成でなる入金部と、入金搬送路と、主搬送路と、鑑別部と、紙幣収納庫と、回収庫と、出金部と、切替部とによって、紙幣処理装置を構成するようにしても良い。
【０１２４】
さらに上述した実施の形態においては、入金部としての紙幣入金部２２と、入金搬送路としての入金搬送路４２と、主搬送路としての主搬送路４４と、出金部としての紙幣出金部２４と、鑑別部としての紙幣鑑別部２６と、紙幣収納庫としての紙幣収納庫２８と、兼用収納庫としての補充回収庫３２と、切替部としての３分岐切替器３４とによって、紙幣処理装置としての紙幣ユニット１８を構成する場合について述べた。
【０１２５】
本発明はこれに限らず、その他種々の構成でなる入金部と、入金搬送路と、主搬送路と、出金部と、鑑別部と、紙幣収納庫と、兼用収納庫と、切替部とによって、紙幣処理装置を構成するようにしても良い。
【産業上の利用可能性】
【０１２６】
本発明は、顧客との間で紙幣の入出金に関する取引処理を行う現金処理装置等でも利用できる。
【符号の説明】
【０１２７】
１、１０１、２０１……現金処理装置、２……筐体、４……硬貨入出金口、６……紙幣入金口、８……紙幣出金口、１０……表示部、１２……操作部、１４、１１４、２１４……主制御部、１６……硬貨ユニット、１８、１１８、２１８……紙幣ユニット、２０……紙幣ユニット筐体、２２……紙幣入金部、２４……紙幣出金部、２６……紙幣鑑別部、２８……紙幣収納庫、３０……リジェクト庫、３２……補充回収庫、３４……３分岐切替器、３５、３６ａ、３６ｂ、３６ｃ、３７、３８、３９、４０……２分岐切替器、４１、２４１……搬送路、４２、２４２……入金搬送路、４４、２４４……主搬送路、４６……鑑別搬送路、２４６……鑑別収納搬送路、４８、２４８……出金搬送路、５０……収納搬送路、５２ａ、５２ｂ、５２ｃ、２５２ａ、２５２ｂ、２５２ｃ……振分搬送路、５４ａ、５４ｂ、５４ｃ、２５４ａ、２５４ｂ、２５４ｃ……収納庫搬送路、５６、２５６……接続搬送路、５８、２５８……補充回収庫搬送路、６０、２６０……リジェクト庫搬送路、２６２……下側接続搬送路、２６４……上側接続搬送路、２６６……補充回収庫リジェクト庫出金部搬送路、２６８……収納時リジェクト庫搬送路、Ｒ１、Ｒ２０１……入金搬送経路、Ｒ２、Ｒ２０２……入金リジェクト搬送経路、Ｒ３、Ｒ２０３……収納搬送経路、Ｒ４、Ｒ２０４……収納リジェクト搬送経路、Ｒ５、Ｒ２０５……入金返却搬送経路、Ｒ６、Ｒ２０６……出金搬送経路、Ｒ７、Ｒ２０７……出金リジェクト搬送経路、Ｒ８、Ｒ２０８……出金搬送経路、Ｒ９、Ｒ２０９……表裏反転出金搬送経路、Ｒ１０、Ｒ２１０……出金リジェクト搬送経路、Ｒ１１、Ｒ２１１……表裏反転出金搬送経路、Ｒ１２、Ｒ２１２……回収搬送経路、Ｒ１３、Ｒ２１３……回収リジェクト搬送経路、Ｒ１４、Ｒ２１４……補充搬送経路、Ｒ１５、Ｒ２１５……補充リジェクト搬送経路、Ｒ１６……振分回収搬送経路、Ｒ１７……振分補充搬送経路。
【図１】
2017033087.tif 000003
【図２】
2017033087.tif 000004
【図３】
2017033087.tif 000005
【図４】
2017033087.tif 000006
【図５】
2017033087.tif 000007
【図６】
2017033087.tif 000008
【図７】
2017033087.tif 000009
【図８】
2017033087.tif 000010
【図９】
2017033087.tif 000011
【図１０】
2017033087.tif 000012
【図１１】
2017033087.tif 000013
【図１２】
2017033087.tif 000014
【図１３】
2017033087.tif 000015
【図１４】
2017033087.tif 000016
【図１５】
2017033087.tif 000017
【図１６】
2017033087.tif 000018
【図１７】
2017033087.tif 000019
【図１８】
2017033087.tif 000020
【図１９】
2017033087.tif 000021
【図２０】
2017033087.tif 000022
【図２１】
2017033087.tif 000023
【図２２】
2017033087.tif 000024
【図２３】
2017033087.tif 000025